(57)【要約】【課題】運搬時には透明板を保護すると共に使用時には飾り枠を立体的に装飾し、見栄えをよくして遊技客に興趣を持たせるようにした遊技機を提供する。【解決手段】遊技領域５ａを有する遊技盤５と、前記遊技盤５の前面を覆い且つほぼ中央に開口窓１５が開設されると共に該開口窓１５の裏側に前記遊技領域５ａを透視し得る透明板１３を配設した飾り枠６とを備えた遊技機であって、前記開口窓１５の周縁に装飾部材２９を回動自在に軸支し、前記装飾部材２９は前記開口窓１５内に位置して前記透明板１３を被覆する倒伏状態と前記飾り枠６の前面側に回動して該飾り枠６を立体的に装飾する突出状態とに切換自在とした。【選択図】図４
2006075224.tif 000002
【特許請求の範囲】
【請求項１】
遊技領域を有する遊技盤と、前記遊技盤の前面を覆い且つほぼ中央に開口窓が開設されると共に該開口窓の裏側に前記遊技領域を透視し得る透明板を配設した飾り枠とを備えた遊技機であって、
前記開口窓の周縁に装飾部材を回動自在に軸支し、前記装飾部材は前記開口窓内に位置して前記透明板を被覆する倒伏状態と前記飾り枠の前面側に回動して該飾り枠を立体的に装飾する突出状態とに切換自在としたことを特徴とする遊技機。
【請求項２】
前記装飾部材にレンズ部材を設けると共に該レンズ部材の後方にＬＥＤ等の光源を配設したことを特徴とする請求項１記載の遊技機。
【請求項３】
前記装飾部材にスピーカを内装したことを特徴とする請求項１記載の遊技機。
【請求項４】
前記装飾部材に電気的に文字・図柄等を表示する情報表示装置を設けたことを特徴とする請求項１記載の遊技機。
【請求項５】
前記装飾部材を飾り枠に突出状態に固定する係止手段を設けたことを特徴とする請求項１乃至４のいずれかに記載の遊技機。
【請求項６】
前記飾り枠を解錠するシリンダ錠の鍵穴が前記飾り枠の前面に露呈して設けられ、前記装飾部材は突出状態で前記シリンダ錠の鍵穴を覆い隠すようにしたことを特徴とする請求項１乃至５のいずれかに記載の遊技機。
【請求項７】
前記装飾部材は折曲ヒンジ部を介して折曲自在に形成すると共に該折曲ヒンジ部で屈曲した状態で前記飾り枠の前面側に突出するようにしたことを特徴とする請求項１乃至６のいずれかに記載の遊技機。
【請求項８】
前記装飾部材の倒伏状態を検知するセンサを飾り枠に設けると共に該センサの検知信号により作動する報知手段を設けたことを特徴とする請求項１乃至７のいずれかに記載の遊技機。
【発明の詳細な説明】
【技術分野】
【０００１】
本発明は、透明板を介して遊技領域を視認し得る開口窓を有する飾り枠を備えた遊技機に関するものである。
【背景技術】
【０００２】
従来パチンコ機等の遊技機には、遊技盤面を視認できるように中央に開設した窓開口にガラス板等の透明板を設けた透明板扉枠が装着されている。そして、近年メーカー毎の個別化を図るためにパチンコ機全体のデザインが派手になり、それに伴い透明板扉枠の表面の飾り枠も合成樹脂により前方に突出形成するなどして、立体的な透明板扉枠が主流となってきている（例えば、特許文献１参照。）。
【０００３】
また、近年遊技のマンネリ化を打破し興趣を高めるために遊技盤のほぼ中央に設けられる可変表示装置等が大型化され、それに伴い遊技領域を大きくする傾向にある。そのため、遊技領域を臨む飾り枠の開口窓も大きく開設され、その前面を覆うガラス板も大型化している（例えば、特許文献２参照。）。
【特許文献１】特開平７−２１３７２２号公報
【特許文献２】特開２００１−２３１９３２号公報
【発明の開示】
【発明が解決しようとする課題】
【０００４】
しかしながら、透明板扉枠を立体的に突出して形成すると、飾り枠を成形する金型が複雑且つ大型化してコストが高くなると共に、運搬時には嵩張るため輸送コストが嵩む要因となっていた。また、透明板の多くはガラス板が使用されており、開口窓部にガラス板が露出しているため、運搬時にガラス板を傷つけたり破損させたりしてしまう等の問題があった。特に、遊技領域を大きくした近年のパチンコ機はガラス板も大きくなり、破損する頻度が顕著なものとなっている。また、遊技領域の拡大に伴い開口窓が大きくなると、遊技機の前面を装飾する飾り枠自体の装飾面積が小さくなり、見栄えが悪くなるといった問題があった。
【０００５】
そこで、本発明は、上記課題を解決するためになされたもので、運搬時には透明板を保護すると共に使用時には飾り枠を立体的に装飾し、見栄えをよくして遊技客に興趣を持たせるようにした遊技機を提供しようとするものである。
【課題を解決するための手段】
【０００６】
上記課題を解決するために、請求項１記載の発明は、遊技領域の前面を覆うと共に該遊技領域を透視し得る透明板を有する飾り枠を備えた遊技機であって、前記飾り枠のほぼ中央に所定の奥行を有する開口窓を開設すると共に該開口窓の裏側に前記透明板を配設し、前記開口窓の奥行空間に位置して該開口窓の周縁に装飾部材を回動自在に軸支し、前記装飾部材は前記開口窓内に位置して前記透明板を被覆する倒伏状態と前記飾り枠の前面側に回動して該飾り枠を立体的に装飾する突出状態とに切換自在としたことを特徴とする。ここでいう「飾り枠」とは、遊技機の前面側を構成し、遊技者が視認し得る装飾部を有するものである。また、ここでいう「透明板」とは、可視光が透過できるガラス板又はアクリル，ポリカーボネート等の合成樹脂製の硬質板である。
【０００７】
請求項２記載の発明は、請求項１記載の発明において、前記装飾部材にレンズ部材を設けると共に該レンズ部材の後方にＬＥＤ等の光源を配設したことを特徴とする。レンズ部材は装飾部材の突出状態で視認し得るように設けるのが好ましく、装飾効果を高めることができる。装飾部材と飾り部材とを接続する配線は、装飾部材を軸支するヒンジ部の内部を通して接続するのが好ましい。
【０００８】
請求項３記載の発明は、請求項１記載の発明において、前記装飾部材にスピーカを内装したことを特徴とする。スピーカは装飾部材の突出状態で遊技者に対向するように設けるのが好ましく、装飾・演出効果を高めることができる。
【０００９】
請求項４記載の発明は、請求項１記載の発明において、前記装飾部材に電気的に文字・図柄等を表示する情報表示装置を設けたことを特徴とする。情報表示装置は装飾部材の突出状態で視認し得るように設けるのが好ましく、装飾効果を高めることができる。さらに、情報表示装置の表示内容は遊技盤に設けられる可変表示装置の表示内容と関連させるのが好ましい。情報表示装置はエレクトロルミネッセンスランプ表示，液晶表示，発光ダイオードによるセグメント表示，ドットマトリックス表示等である。
【００１０】
請求項５記載の発明は、請求項１乃至４のいずれかに記載の発明において、前記装飾部材を飾り枠に突出状態に固定する係止手段を設けたことを特徴とし、装飾部材を安定した状態に維持することができる。
【００１１】
請求項６記載の発明において、請求項１乃至５のいずれかに記載の発明において、前記飾り枠を解錠するシリンダ錠の鍵穴が前記飾り枠の前面に露呈して設けられ、前記装飾部材は突出状態で前記シリンダ錠の鍵穴を覆い隠すようにしたことを特徴とする。このようにすることによって、遊技中には装飾部材によってシリンダ錠の鍵穴が隠されて、遊技者による悪戯や不正行為を防ぐことができる。また、遊技中に遊技領域内で球詰りが発生し、飾り枠を開放する際には、最初に装飾部材を回動して鍵穴を露呈させ、鍵穴に鍵を挿入して解錠操作するが、装飾部材を開口窓内に倒伏させるため、飾り枠の前方への突出量が小さくなり、開放時に遊技者に対して邪魔にならないように配慮することができる。
【００１２】
請求項７記載の発明において、請求項１乃至６のいずれかに記載の発明において、前記装飾部材は折曲ヒンジ部を介して折曲自在に形成すると共に該折曲ヒンジ部で屈曲した状態で前記飾り枠の前面側に突出するようにしたことを特徴としている。装飾部材を折曲自在に形成することにより、装飾部材を大型化できて透明板の被覆面積を大きくすることができ、透明板の破損を防ぐことができる。また、飾り枠をより立体的に装飾することができ装飾効果を高めることができる。
【００１３】
請求項８記載の発明において、請求項１乃至７のいずれかに記載の発明において、前記装飾部材の倒伏状態を検知するセンサを飾り枠に設けると共に該センサの検知信号により作動する報知手段を設けたことを特徴とし、遊技領域を隠すことなく飾り枠を立体的に装飾した状態で確実に使用することができる。報知手段は、光源を有するランプであり、音声を発声するスピーカである。
【００１４】
前記装飾部材は、開口窓の奥行とほぼ同じ厚みを有するのが好ましく、装飾部材を奥行空間内に収容することができる。
【００１５】
前記装飾部材の裏面側にウレタン，ゴム等の弾性部材を設けるのが好ましく、装飾部材が透明板と直接接触して透明板を傷つけたり装飾部材ががたついたりしないようにするのがよい。
【００１６】
前記装飾部材を複数設け、前記透明板の被覆面積を大きくするのが好ましく、透明板の破損を防止することができると共に、装飾効果を高めることができる。
【００１７】
前記飾り枠と透明板とを透明な合成樹脂により一体に形成し、前記開口窓を所定の奥行を有する凹窪状に形成するのが好ましい。合成樹脂は、アクリル，ポリカーボネート等の硬質樹脂が好適である。
【発明の効果】
【００１８】
本発明によれば、所定の厚みを有する飾り枠のほぼ中央に開口窓を開口すると共に透明板を配設して、開口窓の開口端部に装飾部材を回動自在に軸支することにより、運搬時には嵩張らず運搬がし易くなると共に装飾部材で飾り枠の透明板を保護することができ、ホールでの使用時には装飾部材を飾り枠の前方に突出させて装飾効果を高めることができる。さらに、装飾部材にランプ飾り，表示装置等の電気部品を設けることにより、装飾効果をより高めることができる。
【実施例１】
【００１９】
次に、本発明の一実施例を図面を参照して説明する。遊技機としてのパチンコ機は、図１に示すように方形枠状に形成された機枠１の前面に飾り枠としての前面枠２がヒンジ具３により開閉自在に装着され、前面枠２には遊技盤取付枠５５を介して遊技盤５が着脱自在に取着されている。また、前面枠２の前面には、遊技盤５を視認し得る飾り枠としての透明板扉枠６が開閉自在に設けられる。前面枠２及び透明板扉枠６は、開放端を図２に示すように前面枠２の裏面側に設けられる施錠装置５６の係止片５７ａ，５７ｂにより施錠され、前面枠２の前面に表出するシリンダ錠４の鍵穴４ａに鍵を差込み操作することによって解錠するようにしている。さらに、透明板扉枠６の下方には、遊技球を整列して発射装置に供給する機能を備えた上部球受皿７及び該上部球受皿７の余剰球を貯留する機能を備えた下部球受皿８が設けられ、下部球受皿８の側方に遊技球の打力を調整する操作ハンドル１０が設けられている。また、上部球受皿７には効果音又はお知らせを発生し、遊技の演出効果を高めるスピーカ９が設けられている。なお、透明板扉枠６は上部球受皿７と一体に設けるようにしてもよい。また、上部球受皿７と下部球受皿８とを個々に設けることなく、それぞれの機能を備えた１つの球受皿を設けるようにしてもよい。
【００２０】
前記遊技盤５は、所定の厚さを有してほぼ方形状に形成され、前面には図１に示すように遊技球を案内するガイドレール１６により遊技領域５ａがほぼ円形に形成され、その遊技領域５ａのほぼ中央に可変表示装置１７が設けられる。そして、その周囲には入賞口として一般入賞口１８や可変表示装置１７の図柄を変動させるチューリップタイプの始動入賞口１９、また可変表示装置１７の表示が予め設定された図柄の組合せに停止することにより開放する大入賞口２０等が設けられ、適宜個所に遊技球の流下方向を変化させる障害釘２１及び風車２２を配設している。また、遊技領域５ａの最下端には、一般入賞口１８，始動入賞口１９，大入賞口２０に入賞しなかったすべての遊技球をアウト球として回収するアウト球排出口２３が開設されている。
【００２１】
透明板扉枠６は、前面枠２とほぼ同じ横幅を有し、図３及び図４に示すように所定の奥行（約２０ｍｍ〜３０ｍｍ）を有する合成樹脂製の飾り枠本体１１と該飾り枠本体１１の裏面に設けられる金属製の補強枠１２とにより大略構成される。飾り枠本体１１は表面をほぼ平面状に形成し、ほぼ中央に遊技領域５ａの形状とほぼ合致する円形状の開口窓１５が所定の奥行を有して開設され、遊技領域５ａを視認し得るように形成されている。そして、飾り枠本体１１の所定個所にレンズ部材１４が設けられ、そのレンズ部材１４に対応して後方位置に光源としての発光ダイオード（以下ＬＥＤという）２４が基板を介して配設され、遊技状態に応じて点灯又は点滅させて装飾効果を高めると共に遊技の雰囲気を盛り上げるようにしている。なお、ＬＥＤ２４は緑や赤色などの単色発光させるものであっても、赤・緑・青の３原色を組み合わせて複色発光させるものであってもよい。また、補強枠１２は、開口窓１５に合致するように額縁状に形成され、その補強枠１２の後面側に開口窓１５の周縁を囲うように上方が開放したコ字形の保持枠２５が設けられ、該保持枠２５には透明板としての２枚のガラス板１３が嵌るガラス挿入溝２５ａが設けられ、２枚のガラス板１３をガラス挿入溝２５ａに挿入して装着することにより、ガラス板１３が開口窓１５の裏側に位置するように配設される。そして、補強枠１２の一側には前面枠２に軸着するヒンジ部２６が設けられ、開放端側の保持枠２５に透明板扉枠６を閉止する施錠装置５６の係止片５７ｂが係止する係受部２７が設けられている。
【００２２】
また、開口窓１５はその奥行空間を収容空間２８として、図３及び図４に示すように開口窓１５の周縁前端のほぼ左右対称位置に装飾部材２９を回動自在に軸支して、開口窓１５内に位置してガラス板１３を被覆する倒伏状態と飾り枠本体１１の前面側に回動して、飾り枠本体１１の前面を立体的に装飾する突出状態とに切換自在としている。装飾部材２９は、開口窓１５の奥行空間とほぼ同じ厚みを有すると共に開口窓１５の周縁に沿った円弧部を有する略三日月状に形成され、装飾部材２９の表面（装飾部材２９の倒伏状態で遊技者が視認し得る側）には「ＯＰＥＮ」の文字が刻設され、裏面（装飾部材２９の突出状態で遊技者が視認し得る側）は平滑面状に形成されて、図１に示すように遊技内容及び当り図柄を説明するシール３０が貼付されている。また、装飾部材２９の裏面側にはウレタン，ゴム等の弾性部材３１が設けられ、装飾部材２９の倒伏状態で装飾部材２９がガラス板１３と直接接触してガラス板１３を傷つけたり装飾部材２９ががたついたりしないようにしている。装飾部材２９のヒンジ３２は、開口窓１５の開口端部に設けられる軸部３２ａと装飾部材２９に設けられる上下の軸部３２ｂと軸ピン３３とで構成され、開口窓１５の軸部３２ａに装飾部材２９の上下の軸部３２ｂを合致させ、軸部３２ａ，３２ｂに軸ピン３３を貫通させることで装飾部材２９が回動自在に装着される。なお、装飾部材２９の形状は何ら限定されるものではなく、方形状，吹出し形状等の様々の形状が可能であり、遊技内容とデザイン的に関連させたキャラクタ形状としてもよい。また、装飾部材２９は必ずしも複数設けなければならないものではなく１個であってもよく、開口窓１５の対称位置に設けることなく変則位置に設けて意外性のあるデザインとするようにしてもよい。好ましくは、装飾部材２９は遊技者に視認し易い位置に設けるのがよい。このように、装飾部材２９は設置場所に限定されることなく、開口窓１５の任意の位置に設けることができるため、デザインの自由度が増して装飾効果を向上させることができる。
【００２３】
また、図４に示すように収容空間２８を形成する開口窓１５の内周面にセンサ４６が設けられ、装飾部材２９が開口窓１５内に倒伏して収容空間２８に収容された状態を検知するようにしている。実施例においてセンサ４６は発光部と受光部とを備えた光学式センサとするが、直接装飾部材２９が接触して検知するマイクロスイッチであってもよい。装飾部材２９が収容空間２８に位置して遊技領域５ａの一部を覆う状態であると、遊技者の遊技の妨げとなるため、装飾部材２９がセンサ４６に検知されると発射装置が作動せず遊技球の発射ができないようにしたり、遊技機への電気の供給を遮断したりしてもよい。さらに、装飾部材２９の収容状態を報知する報知手段を設けるのが好ましい。この報知手段は、センサ４６が装飾部材２９を検知した検知信号により作動するものであり、その手段は特に限定されるものではなく、レンズ部材１４を点灯させて報知するようにしてもスピーカ９から警告を発して報知するようにしてもよい。また、装飾部材２９がセンサ４６に検知されると新規遊技者に対応して遊技機が初期化されるようにしてもよい。
【００２４】
また、装飾部材２９を倒伏状態と突出状態とに安定させるように、ヒンジ部３２に板ばね等を装着するのが好ましい。具体的には、図５に示すようにカム部材３４と板ばね３５とにより装飾部材２９を倒伏状態と突出状態とに安定させるようにしている。カム部材３４は、装飾部材２９が倒伏状態と突出状態とに回動する２つ角度（実施例では約１８０°）を設定したカム面３４ａを外周面に形成し、装飾部材２９のヒンジ３２の軸部３２ｂの軸線上に固定している。板ばね３５は、飾り枠本体１１の軸部３２ａに設けられ、カム部材３４の外周面を挟持するように金属又は樹脂によりコ字状に形成している。この実施例では、カム面３４ａは円柱状のカム部材３４に互いに対向するように平行に削設されている。このようにカム部材３４及び板ばね３５を設けることにより、板ばね３５がカム面３４ａを挟持して装飾部材２９の倒伏状態と突出状態を安定させている。なお、カム部材３４は飾り枠本体１１の軸部３２ａ側に設けるようにしてもよいのは言うまでもない。また、装飾部材２９を安定状態とするために、装飾部材２９と飾り枠本体１１のヒンジの摺接面に装飾部材２９が収容空間２８に倒伏して収容される位置と飾り枠本体１１の前面側に突出する位置で嵌る凹凸を形成するようにしてもよい。
【００２５】
上記構成のパチンコ機は、運搬時には、図４に示すように装飾部材２９がガラス板１３を覆うように収容空間２８内に倒伏して収容される。このため、装飾部材２９によってガラス板１３を保護すると共にガラス板１３の露出面積を小さくしてガラス板１３が破損するのを防止している。また、装飾部材２９が開口窓１５の奥行空間とほぼ同じ厚みに形成され、装飾部材２９を飾り枠本体１１から前方に突出しないように軸支しているため、嵩張ることがなく運搬コストを低減することができる。そして、パチンコ機をホールに設置する時には、装飾部材２９を前面側に回動して、飾り枠本体１１の表面より前方に装飾部材２９を突出させることで、透明板扉枠６が立体的に装飾され平板状のデザインを起伏に富んだデザインとすることができ、遊技者は斬新なデザインを楽しむことができる。また、装飾部材２９がガラス板１３の前面を覆い遊技領域５ａを隠す位置から、取扱い説明が遊技者に視認できるように飾り枠本体１１の表面に臨む位置に回動するので、使用時には装飾部材２９が遊技領域５ａを隠すことがなく、遊技者は遊技球の流下態様をアウト球排出口２３に流入する最後まで楽しむことができる。このとき、装飾部材２９は図４鎖線に示すように、突出時に遊技機の側方にはみ出さない大きさに設定して回動するようにしたので、隣接する遊技機の邪魔になることはない。しかも、図１及び図４に示すように装飾部材２９の表面が飾り枠本体１１の表面に重なり、突出状態の装飾部材２９によってシリンダ錠４の鍵穴４ａを隠すことができ、遊技者が遊技中に鍵穴４ａをいたずらしたり鍵穴４ａを操作して不正に前面枠２又は透明板扉枠６を開放したりすることを防止することができる。また、遊技中に遊技領域５ａ内で球詰りが発生し、透明板扉枠６を開放する際には、最初に装飾部材２９を回動して鍵穴４ａを露呈させ、鍵穴４ａに鍵を挿入して解錠操作するが、装飾部材２９を開口窓１５内に倒伏させるため、飾り枠本体１１の突出量が小さくなり、開放時に遊技者に対して邪魔にならないように配慮することができる。また、装飾部材２９を回動して飾り枠本体１１の前面を覆うようにしているため、飾り枠本体１１の少なくとも装飾部材２９に覆われる部位は装飾性にこだわる必要がなく、飾り枠本体１１のデザインを簡素化することができ、金型も単純化できてコストの低減化に寄与する。
【００２６】
前記実施例において、装飾部材２９に遊技内容及び当り図柄を説明するシール３０を貼付するようにしたが、最近遊技盤５のみの交換による機種変更が増えてきており、機種変更があっても装飾部材２９を交換することなく容易に機種説明が変更できるように、遊技内容及び当り図柄等を説明する表示板３６を交換自在とし得るのが好ましい。そこで、図６に示すように装飾部材２９の裏面側に、該装飾部材２９の周縁に沿って突条枠３７を形成すると共に突条枠３７の内側に凹溝３７ａを形成し、軸支部３２と対向する一側に表示板３６の挿入口３８を開口している。また、装飾部材２９の表面側にはスリットにより挿入口３８の一部を閉鎖する先端テーパー状の係止片３９が形成されている。表示板３６の装着は、表示板３６と該表示板３６を保護する透明な合成樹脂板４０とを重ね合わせて挿入口３８から挿入し、凹溝３７ａに嵌めこむことで係止片３９が弾性復帰して挿入口３８を閉鎖して、表示板３６及び合成樹脂板４０が抜脱しないように収容される。そして、表示板３６の表示部３６ａが合成樹脂板４０を介して視認できる。また、表示板３６の交換は、係止片３９を付勢に抗して撓ませて挿入口３８を開放し、開放した挿入口３８から表示板３６を取り出して、新しい表示板３６に差し替えることで簡単に交換することができる。このように、表示板３６を交換自在とすることで、キャラクタの表示又はホールの定休日の案内，イベントのお知らせ等を遊技者に告知するホールの掲示板として装飾部材２９を使用することができる。
【００２７】
また、図７に示すように装飾部材２９の裏面側に開口４１を開設して、該開口４１に臨んでレンズ部材４２を表面が露呈するように設け、該レンズ部材４２の後方位置に光源としてのＬＥＤ２４を配設するようにしてもよい。レンズ部材４２は、表面又は裏面にダイヤカット等を施して光を拡散させるようにするのが好ましい。なお、ＬＥＤ２４はレンズ部材４２に直接組付けるようにしても装飾部材２９に組付けるようにしてもよい。そして、装飾部材２９が飾り枠本体１１に回動自在に設けられているため、このＬＥＤ２４を接続する配線は略Ｚ字状に形成されたフレキシブル配線板４３を使用している。フレキシブル配線板４３は、図８に示すように端部には端子部４４が形成され、ヒンジ３２の筒状軸部３２ａの中にループを描くように組み込んで、端子部４４を装飾部材２９のＬＥＤ基板５８及び飾り枠本体１１内の回路基板５９のコネクタ４５にそれぞれ嵌め込んで接続することにより、装飾部材２９と飾り枠本体１１とが開閉可能な状態でＬＥＤ基板５８と回路基板５９とが電気的に接続される。このため、装飾部材２９の開閉動作によってフレキシブル配線板４３が損傷して断線又は接触不良を起こすことはない。そして、装飾部材２９を回動させて該装飾部材２９を飾り枠本体１１の前面側に突出状態とすることにより、遊技者はレンズ部材を視認できる。また、ＬＥＤ２４は、遊技状態に応じて点灯又は点滅させて、遊技の雰囲気を盛り上げると共に装飾効果を高めることができる。なお、光源はＬＥＤ２４に限定されるものではなく、蛍光灯・豆球・冷陰極管・ネオン管等のランプであってもよい。また、装飾部材２９の裏面側全体をレンズ部材としてもよく、装飾部材２９の組立て作業が簡略化できると共に装飾性を高めることができる。
【００２８】
また、装飾部材２９が開口窓１５内に倒伏して収容空間２８に収容された状態にあると、センサ４６が装飾部材２９を検知してＬＥＤ２４は点灯せず、装飾部材２９を飾り枠本体１１の前面側に回動してセンサ４６の検知が解除されるとＬＥＤ２４が点灯するようになっている。
【００２９】
図９は装飾部材２９にスピーカ４７を内装するようにした実施例を示し、スピーカ４７は装飾部材２９を飾り枠本体１１の前面側に回動して突出した状態で遊技者に対向するように、装飾部材２９の裏面に開設された開口４１に臨んでボスにビス着され、その前面に音声が外部に送出される透孔を開設したカバー体４８を装着して設けられる。スピーカ４７は前記実施例で示したように、フレキシブル配線板４３によって飾り枠本体１１の回路基板５９と接続されている。また、装飾部材２９は、開口窓１５の上部斜め約４５°の位置に軸支され、前面がやや内側を向いて（約１５〜２０°の前傾状態）遊技者にとって音響効果の最もよい状態に回動させている。このように、装飾部材２９の回動状態を規制することによって、スピーカ４７からの音声が遊技者の頭部に向って発せられるため、その音声が聞き取り易く、遊技者に効果音やメッセージを確実に伝えることができ、演出効果を高めることができる。また、図１０に示すように装飾部材２９の表面に折畳み自在な支持片４９を設け、装飾部材２９の回動時に支持片４９を起立させて飾り枠本体１１に当接させることで、装飾部材２９の回動範囲を規制するようにしている。このとき、飾り枠本体１１の表面に支持片４９を安定させる位置決めを突条または凹溝状に設けるのが好ましい。また、支持片４９を支持突起として、飾り枠本体１１に穿設した透孔に嵌挿するようにしてもよい。
【００３０】
また、電気的配線を装飾部材２９のヒンジ３２の筒状軸部３２ａにフレキシブル配線板４３を組み込んで飾り枠本体１１と電気的に接続するようにしたが、配線の接続方法は限定されるものではなく、ゴム製導電体を用いるようにしてもよい。また、装飾部材２９の表側に装飾部材２９に内装した電気部品の基板に設けたコネクタ部材を露呈させ、飾り枠本体１１の表面であり装飾部材２９が回動して該装飾部材２９のコネクタ部材が相対する位置に該コネクタ部材と接続するコネクタを露呈させるようにしてもよい。装飾部材２９は倒伏状態では電気的に接続されることはなく、装飾部材２９を回動して飾り枠本体１１を装飾する突出状態でコネクタ部材とコネクタが接続されることにより、装飾部材２９の電気部品が飾り枠本体１１の基板と電気的に接続される。このとき、コネクタ同士が嵌合して接続されることにより、装飾部材２９の突出状態が安定した状態を維持することができるとういう効果も奏する。また、このように直接コネクタ同士を接続することによって、煩わしい配線作業がなくなり、しかも装飾部材２９の回動による断線又は接触不良を起こすことがない。
【００３１】
なお、実施例において開口窓１５をほぼ円形状に形成したが、開口窓１５の形状は何ら限定されるものではなく、楕円，方形状，多角形，蒲鉾型等であってもよい。図１１は、開口窓１５をほぼ方形状とした実施例を示し、装飾部材２９はそれぞれ開口窓１５の横幅の略１／２の大きさを有した矩形状に形成され、開口窓１５の左右両側縁にヒンジ３２により軸支されている。また、それぞれの装飾部材２９は、ほぼ中央に装飾部材２９のヒンジ３２の軸線と同方向の軸線で折曲自在となる折曲ヒンジ部５１を設けて、内側部２９ａと外側部２９ｂとにより折畳み自在に設けられている。そして、装飾部材２９は収容空間２８に収容された状態でガラス板１３の全面を覆い隠し、開放端側に設けたフック５２を互いの係止突起５３に係止することにより、装飾部材２９を閉鎖固定するようにしている。折曲ヒンジ部５１は、装飾部材２９を２分割して、その分割した装飾部材２９を開口窓１５縁に軸支するヒンジ３２と同じように軸支して折曲自在としても、装飾部材２９に肉薄部を形成して、その肉薄部を折曲ヒンジ部５１としてもよい。また、折曲ヒンジ部５１を装飾部材２９のヒンジ３２の軸線と同方向の軸線で折曲し得るようにしたが、折曲ヒンジ部５１の軸線方向をヒンジ３２の軸線方向と異ならせるようにしてもよい。その軸線方向は、ヒンジ３２の軸線方向から装飾部材２９の対角線の傾斜範囲内であればよい。折曲ヒンジ部５１の軸線方向をヒンジ３２の軸線方向と異ならせることにより、装飾部材２９を飾り枠本体１１の前面に起立突出させた状態が変則形状となり、デザイン的に興趣あるものとすることができる。
【００３２】
また、装飾部材２９の少なくとも外側部２９ｂの裏面には、電気的に文字・図柄等を表示する情報表示装置５０が設けられている。この情報表示装置５０は、エレクトロルミネッセンス材料に電圧を印加させて発光させることにより表示態様を変化させる薄型の有機ＥＬ（エレクトロルミネッセンスランプ）パネル表示としている。この実施例において、図１２鎖線に示すように装飾部材２９を収容空間２８に収容した状態の輸送時には、装飾部材２９がフック５２により係止されているため無用に開放することがない。しかも、情報表示装置５０は装飾部材２９の裏面に位置するため輸送時には表面に露呈せず保護され、ガラス板１３は装飾部材２９により完全に覆い隠されて露呈することがないため破損することはない。そして、ホールでの使用時には、フック５２と係止突起５３との係合を解除し、係止突起５３を摘んで装飾部材２９を観音開きして、図１２に示すようにパチンコ機の前面側にＥＬパネルの情報表示装置５０が遊技者に視認できるように、折曲ヒンジ部５１を飾り枠本体１１から前方に突出させて屈曲した状態で固定される。装飾部材２９を飾り枠本体１１に突出状態で固定する係止手段は、互いの装飾部材２９を閉鎖状態に固定するために回動自在に設けたフック５２を利用して、図１３に示すように飾り枠本体１１の側方に形成した凹部１１ａに設けた係止部５４にフック５２を係止して固定するようにしている。このとき、凹部１１ａは飾り枠本体１１の表面に露出して形成されるが、図１１鎖線及び図１２に示すように使用時（装飾部材２９の回動時）には装飾部材２９により凹部１１ａが隠れるため見栄えが悪くなることはない。また、装飾部材２９の使用時には、情報表示装置５０は遊技領域５ａの外方に位置しており、情報表示装置５０の表示を遊技領域５ａに設けられた可変表示装置１７の表示と関連させることで、遊技者は迫力ある映像に囲まれ遊技を楽しむことができる。また、当然のことではあるが、この情報表示装置５０にＣＭ，遊技機の取扱い説明及び当り図柄の説明等を表示させるようにしてもよい。なお、実施例において情報表示装置５０を薄型の有機ＥＬパネル表示としたが、情報表示装置５０は液晶表示又はＬＥＤによるセグメント表示器，ドットマトリックス表示器等としてもよい。また、この実施例で折畳み自在な装飾部材２９に情報表示装置５０を設けるようにしたが、該装飾部材２９に前記実施例で示したようにレンズ部材４２及び光源を設けて、装飾効果を高めるようにしてもよい。なお、装飾部材２９の内側部２９ａ及び外側部２９ｂの双方に情報表示装置５０又は光源２４を設けた場合には、当然折曲ヒンジ部５１にも前記実施例で示したように配線を設けるようにすればよい。このように、装飾部材２９を折曲自在に形成することにより、装飾部材２９を大型化できて透明板１３の被覆面積を大きくすることができ、透明板１３の破損を防ぐことができる。また、飾り枠本体１１をより立体的に装飾することができ装飾効果を高めることができる。
【００３３】
なお、実施例で透明板をガラス板１３としたが、アクリル，ポリカーボネート等の合成樹脂製の硬質透明板としてもよい。このように、透明板をアクリル等の合成樹脂製とした場合には、飾り枠本体１１と透明板１３ａとを透明樹脂により一体に形成するようにしてもよく、図１４に示すように遊技領域５ａを臨む開口窓１５を所定の奥行を有する凹窪状に形成して、該凹窪部を装飾部材２９が収容される収容空間２８とすればよい。このとき、透明板１３ａの板状部は平坦面に形成される。そして、飾り枠本体１１は、裏面側に色彩を施したレンズ部材を配設したり装飾シートを熱転写加工又はインモールド加工に基づいて貼着したりするようにして装飾性を備えさせればよい。このように、飾り枠本体１１と透明板１３ａと一体に成形することで、飾り枠本体１１と透明板との隙間から不正具を差し込んで行われる不正を防ぐことができるため、不正防止を目的として透明板を二重構造とする必要がなくなるためコストの削減に寄与することができる。また、開口窓１５の奥行を深くすることができるので、装飾部材２９を湾曲状に膨出させたり多様な立体形状としたりすることができ、図１４鎖線に示すように飾り枠本体１１の前面をより立体的に装飾することができる。
【００３４】
また、遊技領域５ａに臨む透明板１３ａの裏面にほぼＵ字状の浅溝により図形・文字等の表示図柄を描くようにしてもよい。このとき、透明板１３ａの側方に位置して表示図柄を照射するＬＥＤ等の光源を透明板１３ａの中心に向けて所定の間隔をもって配設するのが好ましい。なお、この実施例において光源はＬＥＤに限らず蛍光ランプ・冷陰極管・ネオン管等でもよいが、小型で前方指向性の高い照射光を発光するＬＥＤが最適である。前記浅溝は、透明板１３ａの裏面から最深部に向けて傾斜する反射面が半円又はＵ字状となるように形成されると共にエッジ部分に丸みを持たせている。このため、図柄は正面視して透明又は半透明であり、常態では遊技領域５ａの視認の妨げになることはなく、遊技者は可変表示装置１７の表示及び遊技球の流下態様等を十分に楽しむことができる。そして、「リーチ」等の所定の条件により光源を点灯させると、光が透明板１３ａ内を通って浅溝の反射面に反射して図柄が浮き立つように照輝して、装飾効果を高めることができる。光源としてのＬＥＤは単色発光のものであっても複色発光のものであってもよい。また、浅溝を遊技領域５ａの所定の位置を囲うように設け、ＬＥＤの点灯によりその所定個所が照射されて浮かび上がり、遊技者に発射の狙い場所として指示することも可能である。特に、権利物のパチンコ機においては、普通のパチンコ機と異なり「大当り」時には複雑な打ち方をする必要があるため、初心者には難しく遊技者に興趣を持たせ難いという問題があった。このため、遊技者に光の演出により遊技の仕方を指示することで、装飾効果を高めると共に遊技者の興趣を高めることができる。また、図柄は遊技領域５ａに臨むように描かれているため、装飾部材２９が開口窓１５内に倒伏していると、折角の図柄が視認できないため、センサ４６によって倒伏状態の装飾部材２９を検知するようにして報知手段により報知し、装飾部材２９を回動して非検知状態としてＬＥＤを点灯させるようにするのが好ましい。
【００３５】
また、遊技領域５ａが大きくなるのに伴って開口窓１５を大きく開設して、飾り枠本体１１の装飾部分である枠幅が５０ｍｍ以下に狭くなって装飾性が乏しくなっても、開口周縁に回動自在に設けられる装飾部材２９を回動して飾り枠本体１１の前面側に突出させることで、飾り枠本体１１が立体的に装飾されて飾り枠本体１１の装飾性を高めることができる。また、装飾部材２９を飾り枠本体１１の左右前方に起立状態で突出させることで、装飾部材２９が衝立の役割をなし、遊技中に遊技者が気になる隣の遊技客の視線、つまり可変表示装置１７の変動表示態様を覗かれるのを防御することができるという効果を奏し、遊技者は自分の世界にのめりこんで遊技に集中することができる。なお、前記実施例に示した装飾部材２９を複数設けるようにしてもよく、図１５に示すように飾り枠本体１１がより立体的に装飾され、演出及び装飾効果を高めることができる。さらに、装飾部材２９を複数設けることによってガラス板１３を覆う面積が大きくなり、ガラス板１３の全域を覆うことも可能であり、輸送時にガラス板１３が破損することがなくなる。また、球詰り等により透明板扉枠６を開放する際に、装飾部材２９が隣設するパチンコ機と干渉する場合には、装飾部材２９を一旦開口窓１５の収容空間２８に簡単に収容させることができ、球詰りの解消作業に支障をきたすことはない。
【００３６】
実施例において、装飾部材２９を手により回動するようにしたが、モータ等の電気的駆動源を装備して、装飾部材２９をギア又はカムを介して電気的に回動するようにしてもよい。このとき、装飾部材２９を回動させる駆動スイッチは、透明板扉枠６の後面及び装飾部材２９の裏面側に設けるのが好ましく、特に装飾部材２９が回動時にシリンダ錠４の鍵穴４ａを閉塞する場合には、装飾部材２９に設けるスイッチは赤外線スイッチ等の非接触スイッチがよい。収容空間２８に倒伏状態の装飾部材２９を突出状態に回動させるには、鍵で透明板扉枠６を開放し、裏面のスイッチを操作して回動させる。すると、突出状態の装飾部材２９によりシリンダ錠４の鍵穴４ａが隠蔽され、この状態では透明板扉枠６を鍵で開放することはできない。そのため、透明板扉枠６を開放させるには、赤外線放射リモコンにより装飾部材２９の赤外線スイッチを作動して装飾部材２９を収容空間２８に回動復帰させ、シリンダ錠４の鍵穴４ａを露呈させ、鍵で透明板扉枠６を開放させることができる。このように、装飾部材２９を電動により回動自在とすることにより、特に鍵穴４ａを装飾部材２９で閉塞した場合には、鍵穴４ａからの悪戯を確実に防止することができる。さらに、遊技中に制御回路基板からの信号により装飾部材２９を任意に可動させることも可能となり、遊技の興趣を一層高めることができる。
【００３７】
なお、実施例で装飾部材２９を開口窓１５周縁に回動自在に設けるようにしたが、装飾部材２９を着脱自在に設けるようにしてもよい。このとき、例えば開口窓１５周縁に前後方向のほぞ溝を設け、装飾部材２９に前記ほぞ溝に嵌るほぞ突起を設け、さらに飾り枠本体１１にほぞ溝を形成した係止部材を傾倒自在に設けるようにすればよい。係止部材は複数箇所に設けるようにして、複数箇所で装飾部材を係止するのが好ましい。そして、運搬時には装飾部材２９のほぞ突起を開口窓１５周縁のほぞ溝に嵌合して装飾部材２９を収容空間２８に収容し、透明板を保護することができる。使用時には、装飾部材２９を収容空間２８から外して飾り枠１１の係止部材を起立させて、装飾部材２９を係止部材のほぞ溝に嵌合することで固定し飾り枠本体１１を立体的に装飾することができる。また、複数の装飾部材２９を同形状とすることで、装飾部材２９の配置を変更させることも可能であり、遊技盤５のみの交換の機種変更の際にも装飾部材２９の配置を変更するだけで、イメージを簡単に変えることができる。装飾部材２９にレンズ部材４２及び光源，スピーカ４７等を設けた場合には、係止部材のほぞ溝及び装飾部材２９のほぞ突起にプリント配線を設け、ほぞ突起をほぞ溝に嵌合するだけで装飾部材２９と飾り枠本体１１とを電気的に接続することができ、煩わしい配線作業をなくすことができる。
【００３８】
実施例において、飾り枠を透明板扉枠６として説明したが、前面枠２を飾り枠として該前面枠２に直接開口窓１５を設けて透明板を介して遊技盤５を透視し得るようにしてもよい。このとき、遊技盤取付枠４は前面枠２と別体に設けるのが好ましく、遊技盤取付枠４を機枠１又は前面枠２に対して開閉自在に設け、前面枠２の開放時に遊技盤５が露呈するようにするのがよい。
【００３９】
また、装飾部材２９が回動することにより飾り枠本体１１の前面に突出するため、装飾部材２９に隣接する遊技機との通信手段（発信機及び受信機等）を内臓するようにしてもよい。装飾部材２９に通信手段を内臓することにより、隣接する遊技機の対向する装飾部材２９との間で赤外線等の無線通信或いはケーブルを使用した有線通信により通信することができ、隣のリーチ状態が可変表示装置１７の一部に表示されたり、可変表示装置１７に表示されるキャラクターを交換したりできるようにしてもよい。
【００４０】
また、実施例において遊技機をパチンコ機として説明したが、ここでいう「遊技機」とは、開口窓に設けた透明板を介して遊技領域が透視し得るものを意味しており、パチンコ球を盤面に打ち込むことにより遊技するパチンコ機の他にアレンジボール機，雀球遊技機等が含まれる。また、パチンコ球を賭球として回収し図柄表示した回転体の回転を任意で停止させ、その停止図柄によって所定個数の賞球を払出す所謂「パロット」といわれる回胴式遊技機にも適用可能である。さらに、コインを遊技媒体とするスロットマシンにも応用することができる。
【図面の簡単な説明】
【００４１】
【図１】パチンコ機の正面図である。
【図２】前面枠の裏面要部斜視図である。
【図３】透明板扉枠の分解斜視図である。
【図４】透明板扉枠の要部断面図である。
【図５】装飾部材の軸支部の要部分解斜視図である。
【図６】（イ）は装飾部材の他の実施例を示す分解斜視図であり、（ロ）はその要部断面図である。
【図７】装飾部材の他の実施例を示す透明板扉枠の正面図である。
【図８】ヒンジ部の分解斜視図である。
【図９】装飾部材の他の実施例を示す透明板扉枠の正面図である。
【図１０】図９の要部断面図である。
【図１１】装飾部材の他の実施例を示す透明板扉枠の正面図である。
【図１２】図１１の要部断面図である。
【図１３】装飾部材の係止状態を示す要部斜視図である。
【図１４】他の実施例の透明板扉枠の要部断面図である。
【図１５】装飾部材を複数設けた実施例を示す透明板扉枠の正面図である。
【符号の説明】
【００４２】
２          前面枠（飾り枠）
４          シリンダ錠
４ａ        鍵穴
５          遊技盤
６          透明板扉枠（飾り枠）
９          スピーカ（報知手段）
１３        ガラス板（透明板）
１３ａ      透明板
１４        レンズ部材（報知手段）
１５        開口窓
２４        ＬＥＤ（光源）
２８        収容空間
２９        装飾部材
４２        レンズ部材
４６        センサ
４７        スピーカ
５０        情報表示装置
５１        折曲ヒンジ部
５２        フック（係止手段）
５４        係止部（係止手段）
５６        施錠装置
【図１】
2006075224.tif 000003
【図２】
2006075224.tif 000004
【図３】
2006075224.tif 000005
【図４】
2006075224.tif 000006
【図５】
2006075224.tif 000007
【図６】
2006075224.tif 000008
【図７】
2006075224.tif 000009
【図８】
2006075224.tif 000010
【図９】
2006075224.tif 000011
【図１０】
2006075224.tif 000012
【図１１】
2006075224.tif 000013
【図１２】
2006075224.tif 000014
【図１３】
2006075224.tif 000015
【図１４】
2006075224.tif 000016
【図１５】
2006075224.tif 000017